(57)【要約】      （修正有）【課題】水道蛇口ハンドルの汚れの除去を簡易な構造により可能とするハンドル洗浄器を提供する。【解決手段】水が流通する本体１２と本体１２における水の流通を止める弁を開閉可能なハンドル４を備える蛇口に取り付けられ、ハンドル４の上から水を流す事を可能とするハンドル洗浄器１００であって、ハンドル４を貫通し、本体１２まで延び、本体内部からハンドル４の上に水を流通させる流通路１４と、流通路１４に挿通された中心棒１１と、中心棒１１の本体側の端部に設けられた流通路１４をふさぐことが可能な弁部と、中心棒１１のハンドル側の端部に取り付けられたボタン１と、ボタン１をハンドル４上面から離す方向に付勢するバネ２とを備え、バネの付勢力に抗い、ボタン１を押下することで弁部が流通路１４を開放し、本体内部の水１３が流通路１４に流入しハンドル４の上から流出する。【選択図】図２
0003223515.tif 000002
【実用新案登録請求の範囲】
【請求項１】
水が流通する本体と本体における水の流通を止める弁を開閉可能なハンドルを備える蛇口に取り付けられ、ハンドルの上から水を流すことを可能とするハンドル洗浄器であって、ハンドルを貫通し、本体まで延び、本体内部からハンドルの上に水を流通させる流通路と、流通路に挿通された中心棒と、中心棒の本体側の端部に設けられ流通路をふさぐことが可能な弁部と、中心棒のハンドル側の端部に取り付けられたボタンと、ボタンをハンドル上面から離す方向に付勢するバネとを備え、バネの付勢力に抗い、ボタンを押下することで弁部が流通路を開放し、本体内部の水が流通路に流入しハンドルの上から流出するハンドル洗浄器。
【考案の詳細な説明】
【技術分野】
【０００１】本考案は水が流通する本体と本体における水の流通を止める弁を開閉可能なハンドルを備える蛇口に取り付けられ、ハンドルの上から水を流すことを可能とするハンドル洗浄器に関する。
【背景技術】
【０００２】公園、幼児園、運動場の屋外に設置されている水道蛇口ハンドルが砂や泥による汚れがある場合、蛇口から出る水を直接ハンドルにかけられないという問題がある。水道蛇口ハンドルの洗浄を目的とした物はあるが軸部スピンドルの側面を切削したり構造が複雑である【０００３】例えば、特許文献１に記載されている内容は軸部スピンドルの側面が切削加工されて蛇口出口に通水できる形状で節水を目的としておりハンドルの汚れの除去機能がない。特許文献２及び特許文献３に記載されている内容は軸部スピンドルの側面が切削加工が施されている形状でハンドルを開かないと通水できない。特許文献４に記載されている内容は軸部スピンドルの形状が異なり中心棒がなくハンドルを開かないと通水できない。
【先行技術文献】
【特許文献】
【０００４】
【特許文献１】実願平６−１２８１４号公報
【特許文献２】特願２０１１−２６９１３４号公報
【特許文献３】特願２００７−１２８８２３号公報
【特許文献４】実願平０２−００３４９４号公報
【考案の概要】
【考案が解決しようとする課題】
【０００５】本考案は水道蛇口ハンドルの汚れの除去を簡易な構造により可能とすることを目的としたものである。
【課題を解決するための手段】
【０００６】水が流通する本体と本体における水の流通を止める弁を開閉可能なハンドルを備える蛇口に取り付けられ、ハンドルの上から水を流すことを可能とするハンドル洗浄器であって、ハンドルを貫通し、本体まで延び、本体内部からハンドルの上に水を流通させる流通路と、流通路に挿通された中心棒と、中心棒の本体側の端部に設けられた流通路をふさぐことが可能な弁部と、中心棒のハンドル側の端部に取り付けられたボタンと、ボタンをハンドル上面から離す方向に付勢するバネとを備え、バネの付勢力に抗い、ボタンを押下することで弁部が流通路を開放し、本体内部の水が流通路に流入しハンドルの上から流出するハンドル洗浄器。
【考案の効果】
【０００７】本考案は洗浄ボタンを押すと中心棒が下がり円錐部とゴムパッキンとの隙間から水道水が水圧により軸部スピンドルと中心棒とのあいだからハンドルの上部に水が流れて汚れを除去できる。したがって、水道蛇口ハンドルの汚れの除去を簡易な構造により可能となる。
【図面の簡単な説明】
【０００８】
【図１】  本考案に係る水道ハンドル洗浄器の側面図。
【図２】  断面図。
【図３】  操作前断面図
【図４】  操作時断面図
【考案を実施するための形態】
【０００９】以下図面を用いて本考案の実施の形態を説明する。
【００１０】まず、図１〜図３により本考案に係る水道ハンドル洗浄器の構成を説明する。
【００１１】ハンドル洗浄器１００は、ハンドル洗浄ボタン１とバネ２、ワッシャー３、ハンドル４、三角パッキン５、ワッシャー６、キャップナット７、スピンドル８、座金９、ゴムパッキン１０、中心棒１１、本体１２、で構成されている。
【００１２】水が流通する本体１２と本体１２における水の流通を止める弁を開閉可能なハンドル４を備える蛇口に取り付けられ、ハンドル４の上から水を流す事を可能とするハンドル洗浄器１００であって、ハンドル４を貫通し、本体１２まで延び、本体内部からハンドル４の上に水を流通させる流通路１４と、流通路１４に挿通された中心棒１１と、中心棒１１の本体側の端部に設けられた流通路１４をふさぐことが可能な弁部と、中心棒１１のハンドル側の端部に取り付けられたボタン１と、ボタン１をハンドル４上面から離す方向に付勢するバネ２とを備え、バネの付勢力に抗い、ボタン１を押下することで弁部が流通路１４を開放し、本体内部の水１３が流通路１４に流入しハンドル４の上から流出する。
【００１３】ハンドル洗浄ボタン１は円形状に形成されナット加工が施されている、バネ２はハンドル洗浄ボタン１を押すための弾性材でありワッシャー３はバネ２とハンドル４とを安定させるためのものである。
【００１４】ハンドル４は本体１２の蛇口から水道水１３を流出させるための開閉ハンドルである。
【００１５】三角パッキン５はキャップナット７と本体１２との緩衝材でありワッシャー６は三角パッキンと本体１２とを安定させるためのものである。
【００１６】キャップナット７は外側が六角形状に形成され内側はネジ切りされていて本体１２と結合できスピンドル８の円筒形状の軸部が挿通できるよう形成されていてキャップナット７を締めることにより本体１２とスピンドル８が固定される。
【００１７】スピンドル８は軸部が筒状に貫通加工され水が流れるようになっている。
【００１８】座金９はスピンドル８とゴムパッキン１０とを安定させるためのものでありゴムパッキン１０は水道水１３の流入を防ぐものであり中心部は円形状の穴があいており中心棒１１が挿入できるようになっている。
【００１９】中心棒１１は上部にはネジ切り加工が施され下部は円錐形状に加工されていてゴムパッキン１０の底部からスピンドル８に挿入できゴムパッキン１０と円錐部が接続することで水道水１３の流入を防ぐことができる。
【実施例】
【００２０】図３はハンドル洗浄ボタン１を操作前の形態でバネ２により中心棒１１が押し上げられ下部の円錐部がゴムパッキン１０に接続され、また水道水１３の水圧により完全に密閉され水の流出がない状態。【００２１】図４はハンドル洗浄ボタン１を押している操作時の形態で押すことにより中心棒１１が下げられ下部の円錐部とゴムパッキン１０との隙間から水道水１３が水圧により軸部のスピンドル８と挿入されている中心棒１１とのあいだの流通路１４からハンドルの上部に水が流れる状態。【００２２】ハンドル洗浄ボタン１を操作せずハンドル４を回して上げるとスピンドル８とゴムパッキン１０及び中心棒１３も上方向にあがり、本体１２とゴムパッキン１０との接続部に隙間ができて蛇口から通常の水道水１３が出る。
【符号の説明】    １    ハンドル洗浄ボタン
２    バネ
３    ワッシャー
４    ハンドル
５    三角パッキン
６    ワッシャー
７    キャップナット
８    スピンドル
９    座金
１０    ゴムパッキン
１１    中心棒
１２    本体
１３    水道水
１４    流通路
１００    ハンドル洗浄器
【図１】
0003223515.tif 000003
【図２】
0003223515.tif 000004
【図３】
0003223515.tif 000005
【図４】
0003223515.tif 000006